【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
撮像手段によって撮像された画像を回転させることを指示する第１の命令に応じて、前記撮像手段によって撮像された画像が回転された画像を出力する第１の処理と、
前記撮像手段における撮像方向を変更するための第１の変更命令が受信された場合に撮像方向を第１の方向へと変更する第１の状態から、前記第１の変更命令が受信された場合に前記第１の方向とは異なる第２の方向へと撮像方向を変更させる第２の状態へと変更する第２の処理と
を行う制御手段を有し、
前記制御手段は、前記画像を特定の角度回転させることを指示する前記第１の命令が受信手段によって受信されると、前記第１の処理と前記第２の処理とを行う
ことを特徴とする制御装置。
【請求項２】
前記第１の変更命令は、前記撮像手段における撮像方向を前記第１の方向に変更するための命令である
ことを特徴とする請求項１記載の制御装置。
【請求項３】
撮像手段によって撮像された画像を回転させることを指示する第１の命令に応じて、前記撮像手段によって撮像された画像が回転された画像を出力する第１の処理を行う制御手段を有し、
前記制御手段は、
前記画像を特定の角度回転させることを指示する前記第１の命令が受信手段によって受信されると、
前記第１の処理を行うとともに、
前記撮像手段における撮像方向を第１の方向に変更するための第１の変更命令が受信された場合に前記第１の方向とは異なる第２の方向へと撮像方向を変更させる状態とする第２の処理を行う
ことを特徴とする制御装置。
【請求項４】
前記制御装置は、前記撮像手段を有する撮像装置を制御する制御装置であり、
前記第２の処理は、前記撮像装置の状態を、前記第１の変更命令が受信された場合に前記第２の方向へと前記撮像手段における撮像方向を変更させる状態とする処理である
ことを特徴とする請求項３記載の制御装置。
【請求項５】
前記特定の角度は、１８０度であり、
前記第２の方向は、前記第１の方向と反対の方向である
ことを特徴とする請求項１〜４のいずれか１項に記載の制御装置。
【請求項６】
前記撮像手段によって撮像された画像が回転された画像を出力する第２の出力状態へと変更させるための前記第１の命令が前記受信手段によって受信された場合、
前記制御手段は、前記第１の方向と前記第２の方向とが、前記第１の角度異なるように、前記第２の処理を行う
ことを特徴とする請求項１〜５のいずれか１項に記載の制御装置。
【請求項７】
前記第２の処理は、前記第１の命令とは異なる第２の命令に対応する処理である
ことを特徴とする請求項１〜６のいずれか１項に記載の制御装置。
【請求項８】
前記第１の命令は前記撮像手段によって撮像された画像を回転させるための命令である
ことを特徴とする請求項１〜７のいずれか１項に記載の制御装置。
【請求項９】
前記第１の命令は、前記撮像手段によって撮像された画像を回転させる角度を示す命令である
ことを特徴とする請求項１〜８のいずれか１項に記載の制御装置。
【請求項１０】
前記第１の変更命令は、移動方向を示す命令である
ことを特徴とする請求項１〜９のいずれか１項に記載の制御装置。
【請求項１１】
前記受信手段は、前記第１の命令を、ネットワークを介して外部から受信する
ことを特徴とする請求項１〜１０のいずれか１項に記載の制御装置。
【請求項１２】
前記受信手段は、前記第１の変更命令を、ネットワークを介して外部から受信する
ことを特徴とする請求項１〜１１のいずれか１項に記載の制御装置。
【請求項１３】
前記撮像手段によって撮像された画像、及び、前記撮像手段によって撮像された画像が回転された画像の内の少なくともいずれかの画像をネットワークを介して外部に出力する出力手段
を有することを特徴とする請求項１〜１２のいずれか１項に記載の制御装置。
【請求項１４】
前記第１の命令は、撮像された状態から回転されていない状態の画像を出力する前記第１の出力状態から、撮像された状態から回転された状態の画像を出力する前記第２の出力状態へと変更させるための命令である
ことを特徴とする請求項１〜１３のいずれか１項に記載の制御装置。
【請求項１５】
前記第１の変更命令は、前記撮像手段における撮像方向を前記第１の方向に変更するための命令である
ことを特徴とする請求項１〜１４のいずれか１項に記載の制御装置。
【請求項１６】
前記第１の変更命令は、前記撮像手段における撮像方向を前記第１の方向に変更するための命令である
ことを特徴とする請求項１〜１５のいずれか１項に記載の制御装置。
【請求項１７】
前記特定の角度は、前記制御装置が受付可能な角度である
ことを特徴とする請求項１〜１６のいずれか１項に記載の制御装置。
【請求項１８】
前記特定の角度は、０度、９０度、１８０度、２７０度の内の少なくともいずれかである
ことを特徴とする請求項１〜１７のいずれか１項に記載の制御装置。
【請求項１９】
前記特定の角度を示す情報を出力する
ことを特徴とする請求項１〜１８のいずれか１項に記載の制御装置。
【請求項２０】
請求項１〜１９のいずれか１項に記載の制御装置と、
前記受信手段と、
前記撮像手段と
を有することを特徴とする撮像装置。
【請求項２１】
撮像手段によって撮像された画像を回転させることを指示する第１の命令に応じて、前記撮像手段によって撮像された画像が回転された画像を出力する第１の処理と、
前記撮像手段における撮像方向を変更するための第１の変更命令が受信された場合に撮像方向を第１の方向へと変更する第１の状態から、前記第１の変更命令が受信された場合に前記第１の方向とは異なる第２の方向へと撮像方向を変更させる第２の状態へと変更する第２の処理と
を行う制御工程を有し、
前記制御工程において、前記画像を特定の角度回転させることを指示する前記第１の命令が受信手段によって受信されると、前記第１の処理と前記第２の処理とを行う
ことを特徴とする制御方法。
【請求項２２】
撮像手段によって撮像された画像を回転させることを指示する第１の命令に応じて、前記撮像手段によって撮像された画像が回転された画像を出力する第１の処理を行う制御工程を有し、
前記制御工程において、
前記画像を特定の角度回転させることを指示する前記第１の命令が受信手段によって受信されると、
前記第１の処理を行うとともに、
前記撮像手段における撮像方向を第１の方向に変更するための第１の変更命令が受信された場合に前記第１の方向とは異なる第２の方向へと撮像方向を変更させる状態とする第２の処理を行う
ことを特徴とする制御方法。
【請求項２３】
請求項１〜１９のいずれかに記載の制御装置の各手段としてコンピュータを機能させるためのプログラム。
【請求項２４】
請求項２０に記載の撮像装置の各手段としてコンピュータを機能させるためのプログラム。
【手続補正２】
【補正対象書類名】明細書
【補正対象項目名】発明の名称
【補正方法】変更
【補正の内容】
【発明の名称】制御装置、撮像装置、制御方法、及びプログラム
【手続補正３】
【補正対象書類名】明細書
【補正対象項目名】００１０
【補正方法】変更
【補正の内容】
【００１０】
上記課題のうち少なくとも１つを解決するために、例えば以下の構成を有する。
撮像手段によって撮像された画像を回転させることを指示する第１の命令に応じて、前記撮像手段によって撮像された画像が回転された画像を出力する第１の処理と、前記撮像手段における撮像方向を変更するための第１の変更命令が受信された場合に撮像方向を第１の方向へと変更する第１の状態から、前記第１の変更命令が受信された場合に前記第１の方向とは異なる第２の方向へと撮像方向を変更させる第２の状態へと変更する第２の処理とを行う制御手段を有し、前記制御手段は、前記画像を特定の角度回転させることを指示する前記第１の命令が受信手段によって受信されると、前記第１の処理と前記第２の処理とを行うことを特徴とする制御装置。
撮像手段によって撮像された画像を回転させることを指示する第１の命令に応じて、前記撮像手段によって撮像された画像が回転された画像を出力する第１の処理を行う制御手段を有し、前記制御手段は、前記画像を特定の角度回転させることを指示する前記第１の命令が受信手段によって受信されると、前記第１の処理を行うとともに、前記撮像手段における撮像方向を第１の方向に変更するための第１の変更命令が受信された場合に前記第１の方向とは異なる第２の方向へと撮像方向を変更させる状態とする第２の処理を行うことを特徴とする制御装置。